(57)【要約】【課題】狭小なスペースでの設置作業が可能となり、また設置作業時に作業者に与える負担を低減することができる高圧用電気配線貫通部及びその設置方法並びに高圧用電気配線貫通構造を提供する。【解決手段】原子炉格納容器１１の内外を電気的に接続するための高圧用電気配線貫通部１０において、断面積が５００ｍｍ2以上の導体を有するケーブル１２と、ケーブル１２が挿通されるステンレス鋼からなるハウジング１３と、を備え、ハウジング１３は、その長手方向の所定位置で連結、分離可能な複数のハウジングユニット１３ａ〜１３ｄからなるものである。【選択図】図１
2014007888.tif 000002
【特許請求の範囲】
【請求項１】
原子炉格納容器の内外を電気的に接続するための高圧用電気配線貫通部において、
断面積が５００ｍｍ2以上の導体を有するケーブルと、
前記ケーブルが挿通されるステンレス鋼からなるハウジングと、
を備え、
前記ハウジングは、その長手方向の所定位置で連結、分離可能な複数のハウジングユニットからなることを特徴とする高圧用電気配線貫通部。
【請求項２】
前記ハウジングは、前記複数のハウジングユニットのうち、前記原子炉格納容器の外方の最後尾に位置するハウジングユニットに気密シール部が設けられる請求項１に記載の高圧用電気配線貫通部。
【請求項３】
前記複数のハウジングユニットは、互いが連結される部分に位置決め機構を有する請求項１又は２に記載の高圧用電気配線貫通部。
【請求項４】
原子炉格納容器の内外を電気的に接続するための高圧用電気配線貫通部の設置方法において、
前記原子炉格納容器の遮蔽壁に形成された貫通孔に設けられたスリーブに請求項１〜３のいずれかに記載の高圧用電気配線貫通部を挿通させる工程であって、複数のハウジングユニットを前記スリーブに挿通させる工程と、前記複数のハウジングユニット同士を順次連結してハウジングを組み立てる工程と、を有し、前記複数のハウジングユニット同士を組み立てる工程は、前記ハウジングユニットにケーブルを挿通させながら前記複数のハウジングユニット同士を連結し、前記スリーブに前記高圧用電気配線貫通部を挿通させる工程を含むことを特徴とする高圧用電気配線貫通部の設置方法。
【請求項５】
原子炉格納容器の遮蔽壁を貫通させて前記原子炉格納容器の内外を電気的に接続するための高圧用電気配線貫通構造において、
前記遮蔽壁に形成された貫通孔と、
前記貫通孔に設けられたスリーブと、
前記スリーブに挿通された請求項１〜３のいずれかに記載の高圧用電気配線貫通部と、
を備えることを特徴とする高圧用電気配線貫通構造。
【発明の詳細な説明】
【技術分野】
【０００１】
本発明は、原子力発電所において原子炉格納容器の内外を電気的に接続するための高圧用電気配線貫通部及びその設置方法並びに高圧用電気配線貫通構造に関するものである。
【背景技術】
【０００２】
原子力発電所においては様々な機器が稼働しているが、これら機器を稼働させるためには電力の供給が不可欠である。原子炉格納容器の内部に配置された再循環ポンプ等の高圧機器に電力を供給するためには、原子炉格納容器の遮蔽壁を貫通させて原子炉格納容器の内外を電気的に接続する必要がある。
【０００３】
そのために、原子炉格納容器の内外を電気的に接続するための高圧用電気配線貫通部を用いた高圧用電気配線貫通構造（ケーブルペネトレーション）が必要となる。
【０００４】
図１２（ａ）及び図１２（ｂ）に示すように、高圧用電気配線貫通構造１００においては、原子炉格納容器１０１の遮蔽壁１０２には貫通孔１０３が形成されており、この貫通孔１０３に管台としてのスリーブ１０４が設けられている。
【０００５】
原子炉格納容器１０１の外側に位置するスリーブ１０４の端部には、アダプタ１０５を介してヘッダープレート１０６が取り付けられており、このヘッダープレート１０６には、ハウジング１０７が取り付けられている。
【０００６】
ハウジング１０７には、原子炉格納容器１０１の内外を電気的に接続するための高圧用のケーブル１０８が挿通されている。ハウジング１０７の内部は、その全体が気密シールされており、原子炉格納容器１０１の内外で雰囲気等の移動ができないようになっている。また、ハウジング１０７は、スリーブ１０４の内部に収容された複数のサポート１０９によって支持されている。
【０００７】
一方、原子炉格納容器１０１の内側に位置するスリーブ１０４の端部には、シェル１１０が取り付けられており、このシェル１１０によってハウジング１０７等がスリーブ１０４の所定の位置に位置決めされている。
【０００８】
このように、高圧用電気配線貫通構造１００は、遮蔽壁１０２に形成された貫通孔１０３に、ケーブル１０８が挿通されたハウジング１０７等からなる高圧用電気配線貫通部１１１を挿通させた構造となっている。
【先行技術文献】
【特許文献】
【０００９】
【特許文献１】特開２００４−１５７０５０号公報
【特許文献２】特開２０１０−２３９７０３号公報
【特許文献３】特開２０１１−２３２０８５号公報
【発明の概要】
【発明が解決しようとする課題】
【００１０】
ところで、経年劣化等により高圧用電気配線貫通部１１１の交換（リプレイス）を行う場合があるが、従来の高圧用電気配線貫通部１１１では、その全長寸法がハウジング１０７の長さとその端部から延在するケーブル１０８の端末部の長さとの和となる。
【００１１】
そのため、高圧用電気配線貫通部１１１を交換するに当たり、広大なスペースが必要となり、その周辺の関係する多数の干渉機器の撤去及び復旧作業が必要であった。
【００１２】
干渉機器が多種に亘ってしまうと、その撤去及び復旧作業に膨大な時間とコストが掛かってしまう。そのため、高圧用電気配線貫通部１１１の設置時に必要なスペースを狭くして干渉機器を可能な限り少なくする必要がある。
【００１３】
また、既設の原子力発電所での高圧用電気配線貫通部１１１の設置作業に関しては、定期検査中の作業日程が決められているため、コスト面から考えても、可能な限り作業工程を短くする必要がある。
【００１４】
また、高圧用途の高圧用電気配線貫通部１１１では、ケーブル１０８に使用される導体の断面積が、例えば、５００ｍｍ2以上となるため、その質量も大きなものとなる。
【００１５】
このような導体の断面積が大きく、質量が大きいケーブル１０８を、更にステンレス鋼製の配管からなるハウジング１０７に挿通させるため、更なる質量の増加となり、スリーブ１０４への高圧用電気配線貫通部１１１の挿通は極めて大がかりなものとなってしまう。
【００１６】
よって、高圧用電気配線貫通部１１１の設置作業に従事する作業者への負担も相当なものとなる。
【００１７】
そこで、本発明の目的は、狭小なスペースでの設置作業が可能となり、また設置作業時に作業者に与える負担を低減することができる高圧用電気配線貫通部及びその設置方法並びに高圧用電気配線貫通構造を提供することにある。
【課題を解決するための手段】
【００１８】
この目的を達成するために創案された本発明は、原子炉格納容器の内外を電気的に接続するための高圧用電気配線貫通部において、断面積が５００ｍｍ2以上の導体を有するケーブルと、前記ケーブルが挿通されるステンレス鋼からなるハウジングと、を備え、前記ハウジングは、その長手方向の所定位置で連結、分離可能な複数のハウジングユニットからなる高圧用電気配線貫通部である。
【００１９】
前記ハウジングは、前記複数のハウジングユニットのうち、前記原子炉格納容器の外方の最後尾に位置するハウジングユニットに気密シール部が設けられると良い。
【００２０】
前記複数のハウジングユニットは、互いが連結される部分に位置決め機構を有すると良い。
【００２１】
また、本発明は、原子炉格納容器の内外を電気的に接続するための高圧用電気配線貫通部の設置方法において、前記原子炉格納容器の遮蔽壁に形成された貫通孔に設けられたスリーブに前記高圧用電気配線貫通部を挿通させる工程であって、複数のハウジングユニットを前記スリーブに挿通させる工程と、前記複数のハウジングユニット同士を順次連結してハウジングを組み立てる工程と、を有し、前記複数のハウジングユニット同士を組み立てる工程は、前記ハウジングユニットにケーブルを挿通させながら前記複数のハウジングユニット同士を連結し、前記スリーブに前記高圧用電気配線貫通部を挿通させる工程を含む高圧用電気配線貫通部の設置方法である。
【００２２】
また、本発明は、原子炉格納容器の遮蔽壁を貫通させて前記原子炉格納容器の内外を電気的に接続するための高圧用電気配線貫通構造において、前記遮蔽壁に形成された貫通孔と、前記貫通孔に設けられたスリーブと、前記スリーブに挿通された前記高圧用電気配線貫通部と、を備える高圧用電気配線貫通構造である。
【発明の効果】
【００２３】
本発明によれば、狭小なスペースでの設置作業が可能となり、また設置作業時に作業者に与える負担を低減することができる高圧用電気配線貫通部及びその設置方法並びに高圧用電気配線貫通構造を提供することができる。
【図面の簡単な説明】
【００２４】
【図１】本発明の一実施の形態に係る高圧用電気配線貫通構造を示す図であり、（ａ）は断面図、（ｂ）は正面図である。
【図２】図１の高圧用電気配線貫通構造におけるハウジングユニットを示す図であり、（ａ）は断面図、（ｂ）は正面図である。
【図３】図１の高圧用電気配線貫通構造におけるハウジングユニットを示す図であり、（ａ）は正面側から見た斜視図、（ｂ）は裏面側から見た斜視図である。
【図４】図１の高圧用電気配線貫通構造におけるハウジングユニットの連結後の状態を示す側面側から見た斜視図である。
【図５】図１の高圧用電気配線貫通構造における気密シール部を示す要部断面図である。
【図６】本発明に係る高圧用電気配線貫通部の設置方法を説明する図である。
【図７】本発明に係る高圧用電気配線貫通部の設置方法を説明する図である。
【図８】本発明に係る高圧用電気配線貫通部の設置方法を説明する図である。
【図９】本発明に係る高圧用電気配線貫通部の設置方法を説明する図である。
【図１０】本発明に係る高圧用電気配線貫通部の設置方法を説明する図である。
【図１１】本発明に係る高圧用電気配線貫通部の設置方法を説明する図である。
【図１２】従来技術に係る高圧用電気配線貫通構造を示す図であり、（ａ）は断面図、（ｂ）は正面図である。
【発明を実施するための形態】
【００２５】
以下、本発明の好適な実施の形態を添付図面に順って説明する。
【００２６】
図１（ａ）及び図１（ｂ）に示すように、本実施の形態に係る高圧用電気配線貫通部１０は、原子炉格納容器１１の内外を電気的に接続するためのものであり、断面積が５００ｍｍ2以上の導体を有するケーブル１２と、ケーブル１２が挿通されるステンレス鋼からなるハウジング１３と、を備える。
【００２７】
原子炉格納容器１１の遮蔽壁１４には、原子炉格納容器１１の内外に沿って遮蔽壁１４を貫通する貫通孔１５が形成されており、この貫通孔１５には管台としてのスリーブ（ＰＣＶスリーブ）１６が遮蔽壁１４の壁面に沿って設けられている。このスリーブ１６に高圧用電気配線貫通部１０が挿通されて高圧用電気配線貫通構造１７が構成される。
【００２８】
ケーブル１２は、例えば、断面積が５００ｍｍ2以上の銅撚線からなる導体の外周に絶縁被覆層が形成された高圧用途のケーブルである。このケーブル１２の導体には、例えば、５０００Ｖ以上の電圧が印加されることになるため、絶縁被覆層は電気絶縁性に優れるエチレンプロピレンゴム等により形成されることが好ましい。
【００２９】
前述した通り、ケーブル１２の導体には高電圧が印加されるため、ケーブル１２が何等かの拍子に電磁誘導によって暴れる可能性がある。これを防止するための保護層として設けられたのがハウジング１３である。そのため、ハウジング１３は、高圧用電気配線貫通部１０に特有の構成である。
【００３０】
ハウジング１３は、スリーブ１６の内部に貫通孔１５の貫通する方向に沿って配置される。
【００３１】
また、ハウジング１３は、前述した通り、耐食性に優れるステンレス鋼により形成される。
【００３２】
このハウジング１３は、その長手方向の所定位置で連結、分離可能な複数（図では４つ）のハウジングユニット１３ａ〜１３ｄからなる。このとき、挿通作業性に優れる構成とするため、人力で保持できる最大質量を考慮した長さ（例えば、６５０ｍｍ）毎に連結、分離可能にされることが好ましい。
【００３３】
複数のハウジングユニット１３ａ〜１３ｄは、高圧用電気配線貫通部１０を設置する際に組み立てられ、また高圧用電気配線貫通部１０を交換、撤去、或いは保守等の際に分離される。この組立の際には、複数のハウジングユニット１３ａ〜１３ｄは、互いが連結される部分に設けられた後述する位置決め機構を利用するなどして連結されてハウジング１３が組み立てられる。
【００３４】
より具体的には、図２（ａ）〜図３（ｂ）に示すように、複数のハウジングユニット１３ａ〜１３ｄは、円板状のフランジ部１８を介して連結されてハウジング１３が組み立てられる。なお、ハウジングユニット１３ａ〜１３ｃとハウジングユニット１３ｄとは構成が異なるが、図２（ａ）〜図３（ｂ）では、説明の都合上、同一の構成として描いている。
【００３５】
フランジ部１８は、ハウジングユニット１３ａ〜１３ｄを構成する複数のハウジング分割体１９が分離しないように、これら複数のハウジング分割体１９を位置決めして固定する役割を有する。
【００３６】
複数のハウジング分割体１９は、円筒状に形成されており、その端部がフランジ部１８の円板状の中心点に対して点対称となるように所定の角度毎に配置されてフランジ部１８に形成された固定穴１８ａに固定される。本実施の形態では、ハウジング分割体１９はそれぞれのハウジングユニット１３ａ〜１３ｄ毎に４つずつ（即ち、ケーブル１２の本数に対応した数だけ）存在するので、その４つのハウジング分割体１９の端部がフランジ部１８の円板状の中心点に対して点対称となるように９０度毎に配置されて固定穴１８ａに固定される。
【００３７】
更に、フランジ部１８は、ハウジング１３を組み立ててこれをスリーブ１６に挿通させたときに、スリーブ１６とハウジング１３との間に介在して、スリーブ１６の内部におけるハウジング１３の相対位置を固定する役割もある。
【００３８】
フランジ部１８には、位置決め機構となる位置決め穴２０がボルト穴２１と共に形成される。位置決め穴２０は、フランジ部１８の円板状の中心点に対して点対称となるように所定の角度毎に形成され、ボルト穴２１は、その所定の角度毎に形成された位置決め穴２０の両側であって、フランジ部１８の円板状の中心点に対して点対称となるように所定の角度毎に形成される。本実施の形態では、位置決め穴２０が４つ存在し、ボルト穴２１が８つ存在するので、位置決め穴２０は、フランジ部１８の外周縁部に沿って９０度毎に４箇所に形成されており、ボルト穴２１は、フランジ部１８の外周縁部に沿って、且つ、４箇所の位置決め穴２０のそれぞれの両側に位置するように８箇所に形成される。
【００３９】
図４に示すように、位置決め穴２０に位置決め棒２２を挿通した状態で、対向するボルト穴２１同士をボルト（及びナット）２３により締結し、複数のハウジングユニット１３ａ〜１３ｄを連結することで、ハウジング１３を容易に組み立てることができる。このとき、位置決め穴２０とボルト穴２１が、フランジ部１８の円板状の中心点に対して点対称となるように所定の角度毎に形成されているため、ボルト（及びナット）２３からの押圧力がフランジ部１８の全体に均一に印加されることになり、フランジ部１８に偏った応力を加えることがない。偏った応力が長期に亘って印加されると、フランジ部１８等に亀裂が生じてしまう可能性があるが、本実施の形態に係る高圧用電気配線貫通部１０では、フランジ部１８に均一な応力が印加されることになるため、このような問題は生じない。
【００４０】
また、ハウジング１３を組み立てることによって連結されたハウジング分割体１９のそれぞれには、１本のケーブル１２のみが挿通される。これにより、複数本のケーブル１２のそれぞれが相互に独立して保護される。
【００４１】
複数のハウジング分割体１９の端面の位置とフランジ部１８の表面の位置とはオフセットされ、これにより、複数のハウジングユニット１３ａ〜１３ｄの継ぎ目部分に、位置決め機構としてのインロー構造２４が形成される。即ち、複数のハウジングユニット１３ａ〜１３ｄは、ハウジング分割体１９の一方の端部が、一方のフランジ部１８の表面の位置よりも突出した位置に設けられており、ハウジング分割体１９の他方の端部が、他方のフランジ部１８の表面の位置よりも凹んだ位置に設けられたインロー構造２４を有する。このインロー構造２４を用い、ハウジング分割体１９の突出した側の端部と凹んだ側の端部とを嵌合させるようにフランジ部１８同士を連結することによっても、位置決め穴２０と同様の効果、即ち複数のハウジングユニット１３ａ〜１３ｄの連結作業及び手順の簡素化を図ることができるという効果を得られる。
【００４２】
また、ハウジング１３の内部は、その一部が気密シール部２５とされ、原子炉格納容器１１の内外で雰囲気等の移動ができないようにされる。
【００４３】
本実施の形態では、ハウジング１３は、複数のハウジングユニット１３ａ〜１３ｄのうち、原子炉格納容器１１の外方の最後尾に位置するハウジングユニット１３ｄに気密シール部２５が設けられる。
【００４４】
従来技術に係る高圧用電気配線貫通部１１１では、ハウジング１０７の内部の全体が気密シールされていたので、その気密シール性を維持したままハウジング１０７を分割することは不可能であった。
【００４５】
これに対し、本実施の形態では、１つのハウジングユニット１３ｄの内部のみが気密シールされるため、ハウジングユニット１３ｄの気密シール性を維持したまま、ハウジング１３を複数のハウジングユニット１３ａ〜１３ｄに分割することが可能となる。
【００４６】
また、原子炉格納容器１１の最も外側に位置するハウジングユニット１３ｄの内部に気密シール部２５が設けられることで、ケーブル１２の露出部分を長く確保することができる。
【００４７】
これにより、ハウジング１３の組立時に曲げることができる部分を長く確保することができ、狭小なスペースでの組立が可能となる。そのため、気密シール部２５の長さは、性能上且つ製造上可能な限り短い方が好ましい。
【００４８】
図５に示すように、気密シール部２５は、ケーブル１２の導体２６が縁切りされた縁切部２７と、縁切部２７を電気的に接続するための接続端子２８と、これらの周囲を覆うモールド部２９と、モールド部２９に埋め込まれると共にハウジングユニット１３ｄに溶接された埋込金具３０と、を備える。
【００４９】
この気密シール部２５は、ケーブル１２の導体２６を構成する銅撚線の隙間を通じて、原子炉格納容器１１の内外で雰囲気が移動することを防止するためのものである。
【００５０】
接続端子２８は、円筒状に形成された銅等からなり、その内部は仕切壁３１によって２つの空間に仕切られる。この接続端子２８が縁切部２７及び埋込金具３０と共に一括してエチレンプロピレンゴム等からなるモールド部２９で覆われ、且つ、埋込金具３０がハウジングユニット１３ｄに溶接されることで、気密シール部２５の前後で原子炉格納容器１１の内外の雰囲気が移動することはできなくなる。
【００５１】
モールド部２９は、ハウジングユニット１３ｄのハウジング分割体１９の内部を埋めるように、縁切部２７の周囲から原子炉格納容器１１の外方のハウジング分割体１９の端部付近までに亘って設けられる。
【００５２】
埋込金具３０は、ケーブル１２の外径と略等しい内径を有する小径部３０ａと、ハウジング分割体１９の内径と略等しい外径を有する大径部３０ｂと、を有する。小径部３０ａはケーブル１２の外周に取り付けられ、大径部３０ｂはハウジング分割体１９の内周に取り付けられる。この埋込金具３０は、小径部３０ａと大径部３０ｂの一部が原子炉格納容器１１の外方に位置するモールド部２９に埋め込まれるように設けられる。
【００５３】
再び図１（ａ）及び図１（ｂ）を参照し、原子炉格納容器１１の外側に位置するハウジングユニット１３ｄの端部には、ヘッダープレート３２が溶接により取り付けられる。
【００５４】
ヘッダープレート３２には、ケーブル１２の本数（図では４本）に対応した数（図では４つ）の穴３３が形成されており、この穴３３によってハウジングユニット１３ｄの端部がスリーブ１６の所定の位置に位置決めされて保持される。
【００５５】
また、ヘッダープレート３２には、円筒状のアダプタ３４が溶接により取り付けられる。このアダプタ３４を介して高圧用電気配線貫通部１０がスリーブ１６に取り付けられる。
【００５６】
また、原子炉格納容器１１の内側に位置するハウジングユニット１３ａの端部には、シェル３５が溶接により取り付けられる。このシェル３５によってハウジング１３等がスリーブ１６の所定の位置に位置決めされる。
【００５７】
次に、本実施の形態に係る高圧用電気配線貫通部の設置方法を既設された高圧用電気配線貫通部を交換する場合を例として説明する。
【００５８】
本実施の形態に係る高圧用電気配線貫通部の設置方法は、原子炉格納容器１１の遮蔽壁１４に形成された貫通孔１５に設けられたスリーブ１６に高圧用電気配線貫通部１０を挿通させる工程であって、複数のハウジングユニット１３ａ〜１３ｄをスリーブ１６に挿通させる工程と、複数のハウジングユニット１３ａ〜１３ｄ同士を順次連結してハウジング１３を組み立てる工程と、を有し、複数のハウジングユニット１３ａ〜１３ｄ同士を組み立てる工程は、ハウジングユニット１３ａ〜１３ｄにケーブル１２を挿通させながら複数のハウジングユニット１３ａ〜１３ｄ同士を連結し、スリーブ１６に高圧用電気配線貫通部１０を挿通させる工程を含む。
【００５９】
より具体的には、先ず、図６に示すように、スリーブ１６から交換すべき高圧用電気配線貫通部を取り出して、スリーブ１６のみとする。
【００６０】
その後、図７〜図９に示すように、複数のハウジングユニット１３ａ〜１３ｃを順次挿通させながら連結して組み立てる。そして、図１０に示すように、連結したハウジングユニット１３ａ〜１３ｃにハウジングユニット１３ｄに挿通されたケーブル１２の露出部分を挿通させる。このとき、図１１に示すように、ケーブル１２の露出部分を曲げながら、ハウジングユニット１３ａ〜１３ｃにケーブル１２を挿通させることができる。
【００６１】
その後、最終的に気密シール部２５が設けられたハウジングユニット１３ｄをハウジングユニット１３ａ〜１３ｃに連結してスリーブ１６に挿通させ、スリーブ１６と高圧用電気配線貫通部１０のヘッダープレート３２とを溶接することで交換が完了する。
【００６２】
従来技術に係る高圧用電気配線貫通部１１１では、ハウジング１０７が一体となっていたため、その全長が例えば５ｍ以上あり、設置時には原子炉格納容器１０１の設置場所までの搬入経路上に、多くの干渉機器の撤去及び復旧作業が必要となっていた。
【００６３】
また、古い原子力発電所はメンテナンス性が悪く、通常はスリーブ１０４の正面のスペースは長手方向に１ｍ程度しかなく、設置に関しての干渉機器の撤去及び復旧作業がネックとなっていた。
【００６４】
これに対し、本実施の形態に係る高圧用電気配線貫通部１０を採用することにより、曲げが不可能な部分（気密シール部２５が設けられた部分）と曲げが可能な部分（気密シール部２５以外のケーブル１２の露出部分）とを分けることができ、ケーブル１２が曲がることを利用して、狭小なスペースであっても高圧用電気配線貫通部１０を設置することが可能となり、その周辺の干渉機器の撤去及び復旧作業を最小限にすることができる。
【００６５】
また、周辺の干渉機器の撤去及び復旧作業の件数が少なくなることにより、設置に関わる日数、コスト及び作業者に与える負担を低減することが可能である。
【００６６】
更に、ハウジング１３が人力で保持できる長さ毎に複数のハウジングユニット１３ａ〜１３ｄに分割されているため、少人数で組み立てることができ、従来ほど設置作業が大がかりなものとはならない。
【００６７】
なお、本実施の形態に係る高圧用電気配線貫通部の設置方法では、既設の高圧用電気配線貫通部を交換する例で説明したが、原子炉格納容器内に高圧用電気配線貫通部を新たに設置する場合であっても同様の設置方法を用いることが可能である。このような高圧用電気配線貫通部を新たに設置する場合は、上記した交換すべき高圧用電気配線貫通部を取り出す工程が不要となるのみである。
【００６８】
以上の通り、本発明によれば、狭小なスペースでの設置作業が可能となり、また設置作業時に作業者に与える負担を低減することができる高圧用電気配線貫通部及びその設置方法並びに高圧用電気配線貫通構造を提供することができる。
【符号の説明】
【００６９】
１０  高圧用電気配線貫通部
１１  原子炉格納容器
１２  ケーブル
１３  ハウジング
１３ａ〜１３ｄ  ハウジングユニット
１４  遮蔽壁
１５  貫通孔
１６  スリーブ
１７  高圧用電気配線貫通構造
【図１】
2014007888.tif 000003
【図２】
2014007888.tif 000004
【図３】
2014007888.tif 000005
【図５】
2014007888.tif 000006
【図１０】
2014007888.tif 000007
【図１１】
2014007888.tif 000008
【図１２】
2014007888.tif 000009
【図４】
2014007888.tif 000010
【図６】
2014007888.tif 000011
【図７】
2014007888.tif 000012
【図８】
2014007888.tif 000013
【図９】
2014007888.tif 000014